(57)【要約】【課題】音声障害検知環境を容易に構築することができ、また短時間での障害箇所の特定が可能な音声通信システムを提供する。【解決手段】音源信号ａを入出力する複数の装置１〜ｎが接続される。信号発生器１２は可聴帯域外の無音検知信号ｂを発信する。加算器１３は、音源信号ａと無音検知信号ｂを合成して、他の装置に出力する合成信号ｅを生成する。外部同期信号ｃの発生器１４は、信号発生器１２に接続される。信号反転装置１６は、信号発生器１２の出力側に接続され、無音検知信号を打ち消す反転信号ｄを生成する。検出用加算器１７は、合成信号ｅと反転信号ｄを合成する。検出回路１８は、検出用加算器に接続され、検出用加算器から出力された反転信号を検出する。【選択図】図１
2020036265.tif 000002
【特許請求の範囲】
【請求項１】
音源信号を入出力する複数の装置が接続された音声通信システムにおいて、
各装置は、
可聴帯域外の無音検知信号を発信する信号発生器と、
前記音源信号と前記無音検知信号を合成して、他の装置に出力する合成信号を生成する加算器と、
前記信号発生器に接続された外部同期信号の発生器と、
前記信号発生器の出力側に接続され、前記無音検知信号を打ち消す反転信号を生成する信号反転装置と、
前記合成信号と前記反転信号を合成する検出用加算器と、
前記検出用加算器に接続され、前記検出用加算器から出力された前記反転信号を検出する検出回路と、
を有することを特徴とする音声通信システム。
【請求項２】
前記無音検知信号が正弦波信号であり、前記反転信号が前記無音検知信号を半周期遅らせた正弦波信号である請求項１に記載の音声通信システム。
【請求項３】
前記複数の装置の少なくとも１つは、音源信号を発生する音源を有する請求項２に記載の音声通信システム。
【発明の詳細な説明】
【技術分野】
【０００１】
本発明は、無音検知信号を音声信号に重畳させることにより、障害発生時に無音検知信号によって障害発生箇所を容易に特定することができる音声通信システムに関する。
【背景技術】
【０００２】
従来の音声通信システムは、多数の音声処理部及び音声入出力部で構成されており、構成の複雑化が進んでいる。放送局等は音声障害の発生時に速やかに障害を特定し取り除く必要があるが、従来のシステムでは通信異常や故障に対しては異常通知を出力するが、音声障害に対しては通知を出力していない。
【０００３】
特許文献１や特許文献２に示すように、無音検知器という装置があり、音声の無音を検知することは可能であるが、複数の機器が接続された音声通信システムにおいて発生した障害箇所の特定を行うことはできない。
【先行技術文献】
【特許文献】
【０００４】
【特許文献１】特開２００６−２７９７５３号公報
【特許文献２】特開２００４−０１５６７６号公報
【発明の概要】
【発明が解決しようとする課題】
【０００５】
従来技術においては、複数の機器が接続された音声通信システムにおいて、音声障害が発生した時に、使用者は障害要因の特定に時間を要し、放送事故になる恐れがあった。
【０００６】
本発明は、上記のような従来技術の問題点を解消するために提案されたものである。本発明の目的は、音声障害検知環境を容易に構築することができ、また短時間での障害箇所の特定が可能な音声通信システムを提供することにある。
【課題を解決するための手段】
【０００７】
本発明の音声通信システムは、次のような構成を有することを特徴とする。
（１）音源信号を入出力する複数の装置が接続され、各装置は、次の構成を備える。
（２）可聴帯域外の無音検知信号を発信する信号発生器。
（３）前記音源信号と前記無音検知信号を合成して、他の装置に出力する合成信号を生成する加算器。
（４）前記信号発生器に接続された外部同期信号の発生器。
（５）前記信号発生器の出力側に接続され、前記無音検知信号を打ち消す反転信号を生成する信号反転装置。
（６）前記合成信号と前記反転信号を合成する検出用加算器。
（７）前記検出用加算器に接続され、前記検出用加算器から出力された前記反転信号を検出する検出回路。
【０００８】
本発明は、次のような態様も包含する。
（１）前記無音検知信号が正弦波信号であり、前記反転信号が前記無音検知信号を半周期遅らせた正弦波信号である。
（２）前記複数の装置の少なくとも１つは、音源信号を発生する音源を有する。
【発明の効果】
【０００９】
本発明によれば、複数の装置のいずれかに装置に故障が生じたことを、音源信号に無音検知信号とそれを打ち消す反転信号を合成するという簡単な構成により、確実に検出することができる。
【図面の簡単な説明】
【００１０】
【図１】第１実施形態の音声通信システムの接続関係を示すブロック図。
【図２】第１実施形態における信号波形を示すグラフ。
【発明を実施するための形態】
【００１１】
［１．第１実施形態］
以下、本発明の第１実施形態を図面に従って具体的に説明する。
（１）構成
図１に示すように、本実施形態の音声通信システムは、入力部と出力部を有する複数の装置が接続されて構成される。複数の装置としては、放送局などで使用される各種の装置を適宜使用することができ、例えば、入力された音声信号に種々の加工を施す音声処理装置などが使用できる。図１では、本システムの機能を説明するために第一装置１と第二装置２を示したが、本システムは２台の装置を接続した場合に限定されるものではなく、第三装置、……第ｎ装置ｎというように多数台の装置を接続したシステムにも適用可能である。
【００１２】
図示のように、第一装置１は、可聴帯域のアナログ信号である音源信号ａを発信する音源１１と、可聴帯域外の無音検知信号ｂを発信する信号発生器１２と、音源信号ａと無音検知信号ｂを合成する加算器１３を備える。無音検知信号ｂは、図２示すような正弦波信号(1)である。信号発生器１２には外部同期信号ｃの発生器１４が接続される。この外部同期信号発生器１４により、各音声処理装置の信号発生器１２から出力される無音検知信号ｂが同期される。加算器１３の出力側には、送信ケーブル１５を経由して第二装置２の入力側が接続される。
【００１３】
第二装置２には、第一装置１と同様に、外部同期信号発生器１４に接続された信号発生器１２が設けられる。第二装置２の信号発生器１２と、第二装置２における第一装置１からの送信ケーブル１５との間には、信号反転装置１６が設けられる。この信号反転装置１６は、信号発生器１２から出力された正弦波信号(1)を半周期遅らせた図２に示す正弦波信号(2)である反転信号ｄを生成する。信号反転装置１６の出力側は、送信ケーブル１５に設けられた検出用加算器１７に接続され、第一装置１の加算器１３からの出力信号、すなわち音源信号ａと無音検知信号ｂの合成信号ｅに対して反転信号ｄを合成する加算器１３を備える。
【００１４】
検出用加算器１７の後段には、判定回路１８が設けられる。この判定回路１８は、検出用加算器１７から反転信号ｄを検出するもので、判定結果を音声通信システムのユーザに通知するための図示しない警報装置や表示装置に接続される。送信ケーブル１５における判定回路１８の後段には、加算器１３が設けられ、この加算器１３に信号発生器１２の無音検知信号ｂの出力部が接続される。
【００１５】
（２）作用
本実施形態においては、第一装置１は、音源１１からの音源信号ａと信号発生器１２からの無音検知信号ｂを加算器１３によって合成し、この合成信号ｅを第二装置２に送信する。この時の無音検知信号ｂは、外部同期信号発生器１４からの外部同期信号ｃによって同期された信号となる。第二装置２では、その検出用加算器１７において、第一装置１からの受信した合成信号ｅ１に、信号反転装置１６から出力される反転信号ｄを合成させ、合成信号ｅ２を生成する。この時の反転信号ｄも、外部同期信号発生器１４からの外部同期信号ｃによって同期された信号となる。
【００１６】
正常時、すなわち第一装置１や送信ケーブル１５に故障がない時は、合成信号ｅ１は、無音検知信号ｂが反転信号ｄにより相殺された状態となり（図２の(c) の信号を参照）、音源信号ａのみが検出用加算器１７を経由して判定回路１８に出力される。判定回路１８は、音源信号ａのみが入力された場合には故障がないと判定し、表示装置などにその旨の表示を行う。
【００１７】
一方、第一装置１や送信ケーブル１５に故障が発生し、第二装置２に入力する合成信号ｅ１が断となった場合は、検出用加算器１７からは反転信号ｄのみが判定回路１８に出力される。判定回路１８ではこの反転信号ｄを検出することにより、合成信号ｅ１が断となり、故障が発生したものと判定することができる。この判定結果は、判定回路１８に接続された表示装置や警報装置に出力される。
【００１８】
判定回路１８が第一装置１又は第一装置１と第二装置２間の送信ケーブル１５に故障がないと判定した場合は、判定回路１８の後段に設けられた加算器１３には、音源信号ａに相当する信号が入力される。その後、加算器１３において、この音源信号ａに相当する信号に対して、信号発生器１２からの無音検知信号ｂを合成させることで、図示しない第三装置に対して合成信号ｅ２を送信し、以下、同様に第三装置及びその出力側に接続された他の機器でも受信信号が断になったことの判定を行うことができる。
【００１９】
（３）効果
本実施形態によれば、次のような効果が発揮される。
（ａ）各装置に対して、信号発生器１２と信号反転装置１６、及び判定回路１８を設けるという簡単な構成により、どの装置で故障が発生したかを簡単に検出することができる。
【００２０】
（ｂ）音源１１からの音源信号ａに対しては何ら加工を施すことなく、無音検知信号ｂとその反転信号ｄを加算するだけで故障の判定が可能となるため、音源信号ａの劣化の恐れがない。特に、音声信号はアナログ信号のため、障害による信号断か音声信号中の無音部分かの検出ができないが、本実施形態では音源信号ａに無音検知信号ｂとその反転信号ｄを加算することにより、信号断と無音部分の検出が可能である。
【００２１】
（ｃ）反転信号ｄの有無によってのみ故障の判定が可能であり、かつ反転信号ｄは判定回路１８が設けられている装置によって発生するものであるから、各装置に入力された音源信号ａの音量の大小に関わりなく、確実に反転信号ｄを検出して故障の判定を行うことができる。
【００２２】
［２．他の実施形態］
本発明は、前記の実施形態に限定されるものではなく、例えば、次のような他の実施形態も包含する。
（１）無音検知信号ｂとその反転信号ｄは正弦波信号に限定されるものではなく、半周期遅れた信号．すなわち合成した場合に打ち消される信号であれば、他の波形の信号、例えば矩形波の信号を利用することができる。
（２）接続関係にある複数の装置は、必ずしも図示のように直列に接続されるものではなく、部分的に並列接続されたり、マトリックス状に接続されたものであっても良い。
（３）判定回路１８で検出する信号は、通常の異常は反転信号ｄの検出で良いが、無音検知信号ｂと反転信号ｄの同期が乱れたときも異常となるので、判定回路１８が無音検知信号ｂを検出し、異常の判定を行うこともできる。また、無音検知信号ｂと反転信号ｄの同期が乱れたときに、各装置の信号発生器１２を調整して同期を回復できるように、判定回路１８から外部同期信号発生器１４及び／又は信号発生器１２に同期情報をフィードバックしても良い。
【符号の説明】
【００２３】
１…第一装置
２…第二装置
１１…音源
１２…信号発生器
１３…加算器
１４…外部同期信号発生器
１５…送信ケーブル
１６…信号反転装置
１７…検出用加算器
１８…判定回路
【図１】
2020036265.tif 000003
【図２】
2020036265.tif 000004